(57)【要約】【課題】高いエンターテインメント性を備えたサービスを提供すること。【解決手段】被写体を撮影した利用者の端末装置１２０から所定範囲内に存在する記憶媒体から取得された利用者の識別情報を含む宣伝情報取得要求をサーバコンピュータ１１０に送信し、送信された宣伝情報取得要求に基づいて取得される宣伝情報をサーバコンピュータ１１０から利用者の端末装置１２０に対して送信し、利用者の端末装置１２０において、サーバコンピュータ１１０から送信された宣伝情報を被写体の画像に重ねて表示する宣伝情報提供システム１００を構成した。【選択図】図１
2012113355.tif 000002
【特許請求の範囲】
【請求項１】
利用者の識別情報を記憶する記憶媒体と、当該記憶媒体が記憶する利用者の識別情報を読み取り可能な利用者の端末装置と、当該利用者の端末装置が接続可能なサーバコンピュータと、を備える宣伝情報提供システムであって、
前記利用者の端末装置は、
被写体を撮影する撮影手段と、
前記撮影手段によって撮影がおこなわれた場合に、自装置から所定範囲内に存在する前記記憶媒体が記憶する利用者の識別情報を取得する利用者識別情報取得手段と、
前記利用者識別情報取得手段によって取得された利用者の識別情報を含む宣伝情報取得要求を前記サーバコンピュータに送信する要求送信手段と、を備え、
前記サーバコンピュータは、
前記利用者の識別情報と前記利用者が任意に設定した宣伝情報とを関連付けて記憶する宣伝情報データベースと、
前記利用者の端末装置から送信された宣伝情報取得要求を受信する要求受信手段と、
前記宣伝情報データベースを参照して、前記要求受信手段によって受信された宣伝情報取得要求に含まれる利用者の識別情報に関連付けられた宣伝情報を取得する宣伝情報取得手段と、
前記要求受信手段によって受信された宣伝情報取得要求の送信元の前記利用者の端末装置に対して前記宣伝情報取得手段によって取得された宣伝情報を送信する宣伝情報送信手段と、を備え、
前記利用者の端末装置は、
前記サーバコンピュータから送信された宣伝情報を受信する宣伝情報受信手段と、
前記宣伝情報受信手段によって受信された宣伝情報を、前記撮影手段によって撮影された被写体の画像に重ねて表示する宣伝情報表示手段と、
を備えたことを特徴とする宣伝情報提供システム。
【請求項２】
前記サーバコンピュータは、
前記利用者の端末装置の利用者の識別情報と、前記利用者に関する情報と、を関連付けて記憶する利用者情報データベースと、
前記利用者の識別情報と、前記利用者が任意に設定した制限情報と、を関連付けて記憶する制限情報データベースと、
前記利用者情報データベースを参照して、前記要求受信手段によって受信された宣伝情報取得要求の送信元の前記利用者の端末装置の利用者の識別情報に関連付けられた前記利用者に関する情報を取得する利用者情報取得手段と、
前記制限情報データベースを参照して、前記要求受信手段によって受信された宣伝情報取得要求に含まれる利用者の識別情報に関連付けられた制限情報を取得する制限情報取得手段と、
前記利用者情報取得手段によって取得された利用者に関する情報および前記制限情報取得手段によって取得された制限情報に基づいて、前記宣伝情報取得手段によって取得された宣伝情報の送信の可否を判断する送信可否判断手段と、
を備え、
前記宣伝情報送信手段は、前記送信可否判断手段による判断結果に基づいて、前記宣伝情報取得手段によって取得された宣伝情報を送信することを特徴とする請求項１に記載の宣伝情報提供システム。
【請求項３】
前記宣伝情報は、送信順序が定められた複数の分割された宣伝情報によって構成され、
前記宣伝情報送信手段は、前記送信可否判断手段による判断結果に基づいて、前記宣伝情報取得手段によって取得された宣伝情報を前記分割された宣伝情報単位で段階的に送信することを特徴とする請求項２に記載の宣伝情報提供システム。
【請求項４】
前記利用者の端末装置は、前記撮影手段によって撮影された被写体の画像を解析する画像解析手段を備え、
前記宣伝情報表示手段は、前記画像解析手段による解析結果に基づいて、前記宣伝情報受信手段によって受信された宣伝情報を、前記撮影手段によって撮影された被写体の画像中の人物における所定の位置に重ねて表示することを特徴とする請求項１〜３のいずれか一つに記載の宣伝情報提供システム。
【請求項５】
前記記憶媒体は、携帯型通信機器に設けられていることを特徴とする請求項１〜３のいずれか一つに記載の宣伝情報提供システム。
【請求項６】
前記記憶媒体は、カード状の媒体に設けられていることを特徴とする請求項１〜３のいずれか一つに記載の宣伝情報提供システム。
【請求項７】
前記利用者の端末装置は、携帯型通信機器によって実現されることを特徴とする請求項１〜６のいずれか一つに記載の宣伝情報提供システム。
【請求項８】
利用者の識別情報を記憶する記憶媒体と、当該記憶媒体が記憶する利用者の識別情報を読み取り可能な利用者の端末装置と、当該利用者の端末装置が接続可能なサーバコンピュータと、を備える宣伝情報提供システムがおこなう宣伝情報提供方法であって、
前記利用者の端末装置に実行させる、
被写体を撮影する撮影工程と、
前記撮影工程によって撮影がおこなわれた場合に、自装置から所定範囲内に存在する前記記憶媒体が記憶する利用者の識別情報を取得する利用者識別情報取得工程と、
前記利用者識別情報取得工程によって取得された利用者の識別情報を含む宣伝情報取得要求を前記サーバコンピュータに送信する要求送信工程と、
前記サーバコンピュータに実行させる、
前記利用者の端末装置から送信された宣伝情報取得要求を受信する要求受信工程と、
前記利用者の識別情報と前記利用者が任意に設定した宣伝情報とを関連付けて記憶する宣伝情報データベースを参照して、前記要求受信工程によって受信された宣伝情報取得要求に含まれる利用者の識別情報に関連付けられた宣伝情報を取得する宣伝情報取得工程と、
前記要求受信工程によって受信された宣伝情報取得要求の送信元の前記利用者の端末装置に対して前記宣伝情報取得工程によって取得された宣伝情報を送信する宣伝情報送信工程と、
前記利用者の端末装置に実行させる、
前記サーバコンピュータから送信された宣伝情報を受信する宣伝情報受信工程と、
前記宣伝情報受信工程によって受信された宣伝情報を、前記撮影工程によって撮影された被写体の画像に重ねて表示する宣伝情報表示工程と、
を含んだことを特徴とする宣伝情報提供方法。
【請求項９】
利用者の識別情報を記憶する記憶媒体と、当該記憶媒体が記憶する利用者の識別情報を読み取り可能な利用者の端末装置と、当該利用者の端末装置が接続可能なサーバコンピュータと、を備える宣伝情報提供システムに実行させる宣伝情報提供プログラムであって、
前記利用者の端末装置に、
被写体を撮影する撮影工程と、
前記撮影工程によって撮影がおこなわれた場合に、自装置から所定範囲内に存在する前記記憶媒体が記憶する利用者の識別情報を取得する利用者識別情報取得工程と、
前記利用者識別情報取得工程によって取得された利用者の識別情報を含む宣伝情報取得要求を前記サーバコンピュータに送信する要求送信工程と、を実行させ、
前記サーバコンピュータに、
前記利用者の端末装置から送信された宣伝情報取得要求を受信する要求受信工程と、
前記利用者の識別情報と前記利用者が任意に設定した宣伝情報とを関連付けて記憶する宣伝情報データベースを参照して、前記要求受信工程によって受信された宣伝情報取得要求に含まれる利用者の識別情報に関連付けられた宣伝情報を取得する宣伝情報取得工程と、
前記要求受信工程によって受信された宣伝情報取得要求の送信元の前記利用者の端末装置に対して前記宣伝情報取得工程によって取得された宣伝情報を送信する宣伝情報送信工程と、実行させ
前記利用者の端末装置に、
前記サーバコンピュータから送信された宣伝情報を受信する宣伝情報受信工程と、
前記宣伝情報受信工程によって受信された宣伝情報を、前記撮影工程によって撮影された被写体の画像に重ねて表示する宣伝情報表示工程と、
を実行させることを特徴とする宣伝情報提供プログラム。
【発明の詳細な説明】
【技術分野】
【０００１】
この発明は、宣伝情報提供システム、宣伝情報提供方法および宣伝情報提供プログラムに関する。
【背景技術】
【０００２】
従来、たとえば、地図情報あるいはデータベースにある高度情報を利用して、任意の位置からみた山岳の様子を山岳形状表示機能がおこない、山名・標高表示機能、広面積表示機能、天空情報表示機能、目標物表示機能がそれぞれ表示をおこなって景色を作成し、あらかじめ設定した複数の場所に対して作成された景色の評価値を評価値計算機能がおこない、もっとも景色のよい場所を見つけだすようにした技術があった（たとえば、下記特許文献１を参照。）。
【０００３】
また、従来、たとえば、景観画像を画像取得部で取得し、画像取得時の位置を位置情報取得部で取得し、カメラ角と焦点距離と景観画像サイズをカメラ属性情報取得部で取得し、地図情報管理部で、取得した位置とカメラ角と焦点距離と画像サイズを基に地図情報空間の中で視野空間を求め、視野空間中に存在する構造物を取得し、ラベル情報作成手段で構造物の名称またはその属性情報およびその付与位置を含むラベル情報を作成し、ラベル情報出力手段で、ラベル情報中の位置の情報に対応する画像中に地図情報の名称またはその属性情報を重畳し、重畳された画像を視覚機器に出力するようにした技術があった（たとえば、下記特許文献２を参照。）。
【０００４】
また、従来、たとえば、光学軸を備えたカメラと、コンピュータと、位置および姿勢決定手段と、光学軸に直角をなして整列されたディスプレイフィールドを有するディスプレイとを有するコンピュータ・ビジョン・システムのグラフィック・ユーザ・インターフェイスにおいて、フィールド領域と周辺部とを含み、フィールド領域がディスプレイフィールドのエリアの一部であり、周辺部に包含され、シーンがコンピュータ・ビジョン・システムによってアドレス指定されている場合にイメージおよびグラフィック情報を表示するための動作を可能にした技術があった（たとえば、下記特許文献３を参照。）。
【先行技術文献】
【特許文献】
【０００５】
【特許文献１】特表２０００−５１２７８１号公報
【特許文献２】特開平８−２０１０７６号公報
【特許文献３】特開平１０−２６７６７１号公報
【発明の概要】
【発明が解決しようとする課題】
【０００６】
しかしながら、上述した従来の技術は、いずれも、利用者が情報の取得を希望する対象物に対し、当該対象物を撮影することによって得られる情報は、利用者にかかわらず一定であり、エンターテインメント性が低いという問題があった。また、上述した従来の技術は、いずれも、各利用者が求めている情報は利用者によって異なるにもかかわらず、対象物を撮影することによって得られる情報は対象物に依存して限定されるため、利用者ごとに異なるニーズに対応することが難しいという問題があった。また、上述した従来の技術は、いずれも、情報を享受する利用者にかかわらず同じ情報が提供されるため、利用者ごとに異なるニーズに対応することが難しいという問題があった。
【０００７】
この発明は、上述した従来技術による問題点を解消するため、高いエンターテインメント性を備えたサービスを提供することができる宣伝情報提供システム、宣伝情報提供方法および宣伝情報提供プログラムを提供することを目的とする。
【０００８】
また、この発明は、上述した従来技術による問題点を解消するため、利用に際しての自由度が高く、利用者の様々な要望や状況に柔軟に対応できる、高いエンターテインメント性を備えたサービスを提供することができる宣伝情報提供システム、宣伝情報提供方法および宣伝情報提供プログラムを提供することを目的とする。
【課題を解決するための手段】
【０００９】
上述した課題を解決し、目的を達成するため、この発明にかかる宣伝情報提供システムは、利用者の識別情報を記憶する記憶媒体と、当該記憶媒体が記憶する利用者の識別情報を読み取り可能な利用者の端末装置と、当該利用者の端末装置が接続可能なサーバコンピュータと、を備える宣伝情報提供システムであって、前記利用者の端末装置が、被写体を撮影する撮影手段と、前記撮影手段によって撮影がおこなわれた場合に、自装置から所定範囲内に存在する前記記憶媒体が記憶する利用者の識別情報を取得する利用者識別情報取得手段と、前記利用者識別情報取得手段によって取得された利用者の識別情報を含む宣伝情報取得要求を前記サーバコンピュータに送信する要求送信手段と、を備え、前記サーバコンピュータが、前記利用者の識別情報と前記利用者が任意に設定した宣伝情報とを関連付けて記憶する宣伝情報データベースと、前記利用者の端末装置から送信された宣伝情報取得要求を受信する要求受信手段と、前記宣伝情報データベースを参照して、前記要求受信手段によって受信された宣伝情報取得要求に含まれる利用者の識別情報に関連付けられた宣伝情報を取得する宣伝情報取得手段と、前記要求受信手段によって受信された宣伝情報取得要求の送信元の前記利用者の端末装置に対して前記宣伝情報取得手段によって取得された宣伝情報を送信する宣伝情報送信手段と、を備え、前記利用者の端末装置が、前記サーバコンピュータから送信された宣伝情報を受信する宣伝情報受信手段と、前記宣伝情報受信手段によって受信された宣伝情報を、前記撮影手段によって撮影された被写体の画像に重ねて表示する宣伝情報表示手段と、を備えたことを特徴とする。
【００１０】
また、この発明にかかる宣伝情報提供システムは、上記の発明において、前記サーバコンピュータが、前記利用者の端末装置の利用者の識別情報と、前記利用者に関する情報と、を関連付けて記憶する利用者情報データベースと、前記利用者の識別情報と、前記利用者が任意に設定した制限情報と、を関連付けて記憶する制限情報データベースと、前記利用者情報データベースを参照して、前記要求受信手段によって受信された宣伝情報取得要求の送信元の前記利用者の端末装置の利用者の識別情報に関連付けられた前記利用者に関する情報を取得する利用者情報取得手段と、前記制限情報データベースを参照して、前記要求受信手段によって受信された宣伝情報取得要求に含まれる利用者の識別情報に関連付けられた制限情報を取得する制限情報取得手段と、前記利用者情報取得手段によって取得された利用者に関する情報および前記制限情報取得手段によって取得された制限情報に基づいて、前記宣伝情報取得手段によって取得された宣伝情報の送信の可否を判断する送信可否判断手段と、を備え、前記宣伝情報送信手段が、前記送信可否判断手段による判断結果に基づいて、前記宣伝情報取得手段によって取得された宣伝情報を送信することを特徴とする。
【００１１】
また、この発明にかかる宣伝情報提供システムは、上記の発明において、前記宣伝情報が、送信順序が定められた複数の分割された宣伝情報によって構成され、前記宣伝情報送信手段が、前記送信可否判断手段による判断結果に基づいて、前記宣伝情報取得手段によって取得された宣伝情報を前記分割された宣伝情報単位で段階的に送信することを特徴とする。
【００１２】
また、この発明にかかる宣伝情報提供システムは、上記の発明において、前記利用者の端末装置が、前記撮影手段によって撮影された被写体の画像を解析する画像解析手段と、前記画像解析手段による解析結果に基づいて、前記宣伝情報受信手段によって受信された宣伝情報を、前記撮影手段によって撮影された被写体の画像中の人物における所定の位置に重ねて表示することを特徴とする。
【００１３】
また、この発明にかかる宣伝情報提供システムは、上記の発明において、前記記憶媒体が、携帯型通信機器に設けられていることを特徴とする。
【００１４】
また、この発明にかかる宣伝情報提供システムは、上記の発明において、前記記憶媒体が、カード状の媒体に設けられていることを特徴とする。
【００１５】
また、この発明にかかる宣伝情報提供システムは、上記の発明において、前記利用者の端末装置が、携帯型通信機器によって実現されることを特徴とする。
【００１６】
また、この発明にかかる宣伝情報提供方法は、利用者の識別情報を記憶する記憶媒体と、当該記憶媒体が記憶する利用者の識別情報を読み取り可能な利用者の端末装置と、当該利用者の端末装置が接続可能なサーバコンピュータと、を備える宣伝情報提供システムがおこなう宣伝情報提供方法であって、前記利用者の端末装置に実行させる、被写体を撮影する撮影工程と、前記撮影工程によって撮影がおこなわれた場合に、自装置から所定範囲内に存在する前記記憶媒体が記憶する利用者の識別情報を取得する利用者識別情報取得工程と、前記利用者識別情報取得工程によって取得された利用者の識別情報を含む宣伝情報取得要求を前記サーバコンピュータに送信する要求送信工程と、前記サーバコンピュータに実行させる、前記利用者の端末装置から送信された宣伝情報取得要求を受信する要求受信工程と、前記利用者の識別情報と前記利用者が任意に設定した宣伝情報とを関連付けて記憶する宣伝情報データベースを参照して、前記要求受信工程によって受信された宣伝情報取得要求に含まれる利用者の識別情報に関連付けられた宣伝情報を取得する宣伝情報取得工程と、前記要求受信工程によって受信された宣伝情報取得要求の送信元の前記利用者の端末装置に対して前記宣伝情報取得工程によって取得された宣伝情報を送信する宣伝情報送信工程と、前記利用者の端末装置に実行させる、前記サーバコンピュータから送信された宣伝情報を受信する宣伝情報受信工程と、前記宣伝情報受信工程によって受信された宣伝情報を、前記撮影工程によって撮影された被写体の画像に重ねて表示する宣伝情報表示工程と、を含んだことを特徴とする。
【００１７】
また、この発明にかかる宣伝情報提供プログラムは、利用者の識別情報を記憶する記憶媒体と、当該記憶媒体が記憶する利用者の識別情報を読み取り可能な利用者の端末装置と、当該利用者の端末装置が接続可能なサーバコンピュータと、を備える宣伝情報提供システムに実行させる宣伝情報提供プログラムであって、前記利用者の端末装置に、被写体を撮影する撮影工程と、前記撮影工程によって撮影がおこなわれた場合に、自装置から所定範囲内に存在する前記記憶媒体が記憶する利用者の識別情報を取得する利用者識別情報取得工程と、前記利用者識別情報取得工程によって取得された利用者の識別情報を含む宣伝情報取得要求を前記サーバコンピュータに送信する要求送信工程と、を実行させ、前記サーバコンピュータに、前記利用者の端末装置から送信された宣伝情報取得要求を受信する要求受信工程と、前記利用者の識別情報と前記利用者が任意に設定した宣伝情報とを関連付けて記憶する宣伝情報データベースを参照して、前記要求受信工程によって受信された宣伝情報取得要求に含まれる利用者の識別情報に関連付けられた宣伝情報を取得する宣伝情報取得工程と、前記要求受信工程によって受信された宣伝情報取得要求の送信元の前記利用者の端末装置に対して前記宣伝情報取得工程によって取得された宣伝情報を送信する宣伝情報送信工程と、実行させ前記利用者の端末装置に、前記サーバコンピュータから送信された宣伝情報を受信する宣伝情報受信工程と、前記宣伝情報受信工程によって受信された宣伝情報を、前記撮影工程によって撮影された被写体の画像に重ねて表示する宣伝情報表示工程と、を実行させることを特徴とする。
【発明の効果】
【００１８】
この発明にかかる宣伝情報提供システム、宣伝情報提供方法および宣伝情報提供プログラムによれば、高いエンターテインメント性を備えたサービスを提供することができるという効果を奏する。
【００１９】
また、この発明にかかる宣伝情報提供システム、宣伝情報提供方法および宣伝情報提供プログラムによれば、利用に際しての自由度が高く、利用者の様々な要望や状況に柔軟に対応できる、高いエンターテインメント性を備えたサービスを提供することができるという効果を奏する。
【図面の簡単な説明】
【００２０】
【図１】この発明にかかる実施の形態の宣伝情報提供システムのシステム構成を示す説明図である。
【図２】この発明にかかる実施の形態の宣伝情報提供システムにおけるサーバコンピュータを実現するコンピュータ装置のハードウエア構成を示すブロック図である。
【図３】この発明にかかる実施の形態の利用者の端末装置を実現するスマートフォンのハードウエア構成を示すブロック図である。
【図４】この発明にかかる実施の形態のサーバコンピュータが備える宣伝情報データベースの一例を示す説明図である。
【図５】この発明にかかる実施の形態のサーバコンピュータが備える利用者情報データベースの一例を示す説明図である。
【図６】この発明にかかる実施の形態のサーバコンピュータが備える制限情報データベースの一例を示す説明図である。
【図７】この発明にかかる実施の形態の宣伝情報提供システムを構成する各部の機能的構成を示すブロック図である。
【図８−１】この発明にかかる実施の形態の宣伝情報提供システムにおける利用者の端末装置の表示画面例を示す説明図（その１）である。
【図８−２】この発明にかかる実施の形態の宣伝情報提供システムにおける利用者の端末装置の表示画面例を示す説明図（その２）である。
【図８−３】この発明にかかる実施の形態の宣伝情報提供システムにおける利用者の端末装置の表示画面例を示す説明図（その３）である。
【図８−４】この発明にかかる実施の形態の宣伝情報提供システムにおける利用者の端末装置の表示画面例を示す説明図（その４）である。
【図８−５】この発明にかかる実施の形態の宣伝情報提供システムにおける利用者の端末装置の表示画面例を示す説明図（その５）である。
【図８−６】この発明にかかる実施の形態の宣伝情報提供システムにおける利用者の端末装置の表示画面例を示す説明図（その６）である。
【図８−７】この発明にかかる実施の形態の宣伝情報提供システムにおける利用者の端末装置の表示画面例を示す説明図（その７）である。
【図９】この発明にかかる実施の形態の宣伝情報提供システムにおける利用者の端末装置の処理手順を示すフローチャートである。
【図１０】この発明にかかる実施の形態の宣伝情報提供システムにおけるサーバコンピュータの処理手順を示すフローチャートである。
【発明を実施するための形態】
【００２１】
以下に添付図面を参照して、この発明にかかる宣伝情報提供システム、宣伝情報提供方法および宣伝情報提供プログラムの好適な実施の形態を詳細に説明する。
【００２２】
（実施の形態）
（宣伝情報提供システムのシステム構成）
まず、この発明にかかる実施の形態の宣伝情報提供システムのシステム構成について説明する。図１は、この発明にかかる実施の形態の宣伝情報提供システムのシステム構成を示す説明図である。図１において、この発明にかかる実施の形態の宣伝情報提供システム１００は、サーバコンピュータ１１０と、利用者の端末装置１２０と、を備えている。
【００２３】
宣伝情報提供システム１００において、サーバコンピュータ１１０と利用者の端末装置１２０とは、インターネットなどのネットワークを介して、相互に通信可能に接続されている。また、宣伝情報提供システム１００において、利用者の端末装置１２０は、複数設けられている。
【００２４】
サーバコンピュータ１１０は、たとえば、パーソナルコンピュータなどのコンピュータ装置によって実現することができる。サーバコンピュータ１１０を実現するコンピュータ装置については、説明を後述する。サーバコンピュータ１１０は、宣伝情報データベース、利用者情報データベース、制限情報データベースなどの各種のデータベースを備えている。宣伝情報データベース、利用者情報データベースおよび制限情報データベースについては、説明を後述する（図４、図５および図６を参照）。
【００２５】
利用者の端末装置１２０は、良好な携帯性を備えていることが好ましく、たとえば、スマートフォン、携帯型電話機、ＰＨＳ（Ｐｅｒｓｏｎａｌ  Ｈａｎｄｙ−ｐｈｏｎｅ  Ｓｙｓｔｅｍ）などの携帯型通信機器によって実現することができる。利用者の端末装置１２０を実現する携帯型通信機器については、説明を後述する。利用者の端末装置１２０どうしは、相互に通信可能に接続されている。
【００２６】
宣伝情報提供システム１００において、サーバコンピュータ１１０には、インターネットなどのネットワークを介して、汎用的なパーソナルコンピュータなどのコンピュータ装置１４０が相互に通信可能に接続されていてもよい。この汎用的なパーソナルコンピュータなどのコンピュータ装置１４０は、利用者の端末装置１２０と同様に、利用者による操作に応じてサーバコンピュータ１１０との間で通信をおこなうことによって、宣伝情報データベース、利用者情報データベース、制限情報データベースなどの各種のデータベースが記憶する情報の設定（追加、変更、削除など）に利用することができる。
【００２７】
（サーバコンピュータ１１０のハードウエア構成）
つぎに、この発明にかかる実施の形態の宣伝情報提供システム１００におけるサーバコンピュータ１１０を実現するコンピュータ装置のハードウエア構成について説明する。図２は、この発明にかかる実施の形態の宣伝情報提供システム１００におけるサーバコンピュータ１１０を実現するコンピュータ装置のハードウエア構成を示すブロック図である。
【００２８】
図２において、この発明にかかる実施の形態の宣伝情報提供システム１００におけるサーバコンピュータ１１０を実現するコンピュータ装置は、ＣＰＵ２０１と、ＲＯＭ２０２と、ＲＡＭ２０３と、ＨＤＤ（ハードディスクドライブ）２０４と、ＨＤ（ハードディスク）２０５と、ネットワーク通信Ｉ／Ｆ（インターフェース）２０６と、を備えている。また、この発明にかかる実施の形態のサーバコンピュータ１１０を実現するコンピュータ装置が備える各部２０１〜２０６は、バス２０７によってそれぞれ接続されている。
【００２９】
ＣＰＵ２０１は、コンピュータ装置全体の制御をつかさどる。ＲＯＭ２０２は、ブートプログラムなどの各種プログラムを記憶している。ＲＡＭ２０３は、ＣＰＵ２０１のワークエリアとして使用される。すなわち、ＣＰＵ２０１は、ＲＡＭ２０３をワークエリアとして使用しながら、ＲＯＭ２０２に記録された各種プログラムを実行することによって、コンピュータ装置の全体の制御をつかさどる。
【００３０】
ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。ＨＤＤ２０４は、たとえば、上述した利用者の識別情報、宣伝情報、制限情報、利用者情報などの各種の情報を記憶する。利用者の識別情報、宣伝情報、制限情報、利用者情報については説明を後述する。
【００３１】
ネットワーク通信Ｉ／Ｆ２０６は、インターネットなどのネットワークに接続され、ネットワークを介して利用者の端末装置１２０に接続される。また、ネットワーク通信Ｉ／Ｆ２０６は、ネットワークとコンピュータ装置の内部とのインターフェースをつかさどり、コンピュータ装置と利用者の端末装置１２０との間におけるデータの入出力を制御する。
【００３２】
サーバコンピュータ１１０を実現するコンピュータ装置は、ＦＤＤ（フレキシブルディスクドライブ）や、ＦＤ（フレキシブルディスク）などを備えていてもよい。この場合、ＦＤＤは、ＣＰＵの制御にしたがってＦＤに対するデータのリード／ライトを制御する。ＦＤは、ＦＤＤの制御で書き込まれたデータを記憶する。
【００３３】
また、サーバコンピュータ１１０を実現するコンピュータ装置は、着脱可能な記録媒体として、上記のＦＤに代えてあるいはＦＤに加えて、ＣＤ−ＲＯＭ（ＣＤ−ＲＷ）、ＭＯ、ＤＶＤ（Ｄｉｇｉｔａｌ  Ｖｅｒｓａｔｉｌｅ  Ｄｉｓｃ）などの各種の記録媒体を、着脱可能な記録媒体として用いてもよい。この場合、サーバコンピュータ１１０を実現するコンピュータ装置は、各種の記録媒体に対するデータのリード／ライトを制御するドライブを備える。
【００３４】
図２に示したコンピュータ装置は、さらに、ディスプレイや操作部などを備えることによって、宣伝情報データベース、利用者情報データベース、制限情報データベースなどの各種のデータベースが記憶する情報の設定（追加、変更、削除など）に利用可能な、汎用的なパーソナルコンピュータなどのコンピュータ装置１４０を実現することができる。
【００３５】
（利用者の端末装置１２０のハードウエア構成）
つぎに、この発明にかかる実施の形態の利用者の端末装置１２０を実現するスマートフォンのハードウエア構成について説明する。図３は、この発明にかかる実施の形態の利用者の端末装置１２０を実現するスマートフォンのハードウエア構成を示すブロック図である。
【００３６】
図３において、この発明にかかる実施の形態の利用者の端末装置１２０を実現するスマートフォンは、ＣＰＵ３０１と、ＲＯＭ３０２と、ＲＡＭ３０３と、メモリ３０４と、音声通信Ｉ／Ｆ３０５と、ネットワーク通信Ｉ／Ｆ３０６と、ディスプレイ３０７と、操作部３０８と、マイク３０９と、スピーカ３１０と、カメラ３１１と、無線通信Ｉ／Ｆ３１２と、を備えている。また、この発明にかかる実施の形態の利用者の端末装置１２０を実現するスマートフォンが備える各構成部３０１〜３１２は、バス３１３によってそれぞれ接続されている。
【００３７】
ＣＰＵ３０１は、スマートフォン全体の制御をつかさどる。ＲＯＭ３０２は、ブートプログラムなどのプログラムを記憶している。ＲＡＭ３０３は、ＣＰＵ３０１のワークエリアとして使用される。ＲＡＭ３０３は、ディスプレイ３０７に表示させる画像データを書き込むＶＲＡＭを含んでいてもよい。メモリ３０４は、利用者の端末装置１２０を所有する利用者の識別情報を記憶する。メモリ３０４は、利用者の識別情報を不揮発に記憶する。すなわち、メモリ３０４は、スマートフォンの電源をＯＦＦにした状態であっても利用者の識別情報を記憶する。
【００３８】
利用者の端末装置１２０の識別情報は、利用者の端末装置１２０を識別可能な情報であって、宣伝情報提供システム１００に加入する利用者の端末装置１２０に固有の情報によって実現される。利用者の端末装置１２０の識別情報は、たとえば、宣伝情報提供システム１００の管理者などによって設定された任意の数字列や任意の文字列によって実現することができる。また、利用者の端末装置１２０の識別情報は、たとえば、利用者の端末装置１２０に割り当てられた電子メールアドレスによって実現してもよい。また、利用者の端末装置１２０の識別情報は、たとえば、利用者の端末装置１２０の製造番号によって実現してもよい。
【００３９】
音声通信Ｉ／Ｆ３０５は、電話回線網に接続されており、別のスマートフォン（携帯型電話機やＰＨＳ）などの携帯型通信機器や、固定型電話機との間における音声による通話を実現する。ネットワーク通信Ｉ／Ｆ３０６は、インターネットなどのネットワークを介して、当該ネットワークに接続されたコンピュータ装置や別のスマートフォンとの間におけるデータの入出力を制御する。
【００４０】
ディスプレイ３０７は、カメラ３１１によって撮影した画像を表示したり、当該画像とともに宣伝情報を表示したりする。また、ディスプレイ３０７は、スマートフォンを携帯型電話機（あるいはＰＨＳ）として利用する場合における設定中のモード（マナーモードやドライブモードなど）や電波の受信状態を示す各種のマーク、アイコンあるいはツールボックスなどを表示し、主にＴＦＴ液晶ディスプレイなどの液晶ディスプレイによって実現される。
【００４１】
操作部３０８は、文字、数値、各種指示などの入力のためのキーを備え、データ入力をおこなう。操作部３０８は、たとえば、テンキーやカーソルキーなどを備えたキーボードやタッチパネルなどによって実現することができる。キーボードやタッチパネルなどによって実現される操作部３０８は、当該操作部３０８に対する入力操作に応じた信号を、ＣＰＵ３０１に対して出力する。
【００４２】
操作部３０８をタッチパネルによって実現する場合、当該タッチパネルは、ディスプレイ３０７の表示面側に積層される。タッチパネルは、指やペンなどの筆記部材が接触したことを検出した場合に、タッチパネルに対する筆記部材の接触位置に応じた電気信号を出力する。
【００４３】
また、タッチパネルは、タッチパネルに対する筆記部材の接触が解除された場合は、信号の出力を停止する。あるいは、タッチパネルは、タッチパネルに対する筆記部材の接触が解除された場合に、タッチパネルに対する筆記部材の接触がないことを示す信号を出力してもよい。
【００４４】
タッチパネルは、抵抗膜方式、静電容量方式、電磁誘導方式、表面弾性波方式など公知の各種の方式によってタッチパネルに対する筆記部材の接触位置を検出し、検出した接触位置に応じた電気信号を、ＣＰＵ３０１に対して出力する。電磁誘導方式を採用する場合、電子ペンなどと称される専用の筆記部材を用いる。
【００４５】
マイク３０９は、アナログ形式の音声データとして入力された話者の声や環境音などをアナログ／デジタル変換し、デジタル形式の音声データを生成する。スピーカ３１０は、通話相手側から送信されたデジタル形式の音声データや、宣伝情報に含まれる音声データをデジタル／アナログ変換し、アナログ形式の音声データに基づいてスピーカコーンにおけるコイルに通電するなどして音声を出力する。スピーカ３１０は、再生指示を受け付けた音声データに基づいて、スピーカコーンにおけるコイルに通電するなどして音声を出力する。
【００４６】
カメラ３１１は、操作部３０８の操作によって被写体を撮影し、画像データを生成する。生成された画像データは、ＲＡＭ３０３やメモリ３０４などに記憶される。カメラ３１１は、図示を省略する映像Ｉ／Ｆを介してディスプレイ３０７に接続されていてもよい。
【００４７】
この場合の映像Ｉ／Ｆは、具体的には、たとえば、ディスプレイ３０７あるいはカメラ３１１との間における所定の処理をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３０７を制御する制御ＩＣなどによって構成される。
【００４８】
無線通信Ｉ／Ｆ３１２は、別のスマートフォンなど、別の利用者の端末装置１２０との間における無線通信にかかるデータの入出力を制御する。無線通信Ｉ／Ｆ３１２は、たとえば、Ｂｌｕｅｔｏｏｔｈなどのように、数ｍ程度の近距離無線通信規格にしたがった無線通信をおこなう。Ｂｌｕｅｔｏｏｔｈ規格にしたがって無線通信をおこなう場合、指向性がないことから遮蔽物があっても通信することが可能であるが、指向性アンテナを用いるなどして敢えて指向性をもたせてもよい。無線通信Ｉ／Ｆ３１２は、たとえば赤外線通信のように、指向性を有する無線通信規格にしたがった無線通信をおこなうものであってもよい。
【００４９】
（宣伝情報データベースの一例）
つぎに、宣伝情報データベースの一例について説明する。図４は、この発明にかかる実施の形態のサーバコンピュータ１１０が備える宣伝情報データベースの一例を示す説明図である。
【００５０】
図４において、この発明にかかる実施の形態のサーバコンピュータ１１０が備える宣伝情報データベース４００は、利用者の識別情報と宣伝情報とを関連付けて記憶する。利用者の識別情報は、宣伝情報提供システム１００に加入している利用者を識別可能な情報であって、たとえば宣伝情報提供システム１００の管理者などによって設定された任意の数字列や任意の文字列によって実現することができる。また、利用者の識別情報は、たとえば、利用者の氏名や利用者の生年月日など、利用者に関する情報を複数組み合わせて構成されるものであってもよい。
【００５１】
この実施の形態において、宣伝情報提供システム１００に加入している利用者は、宣伝情報を提供する利用者（第１の利用者）、および、宣伝情報の提供を受ける利用者（第２の利用者）の２種類の利用者が存在しうる。宣伝情報提供システム１００に加入している利用者は、宣伝情報を提供する場合には第１の利用者となり、宣伝情報の提供を受ける場合には第２の利用者となる。
【００５２】
宣伝情報は、利用者（第１の利用者）が任意に設定することが可能であって、たとえば、任意の数字列や任意の文字列によって実現することができる。具体的には、宣伝情報は、たとえば、「私はペースメーカーを付けています」、「私は妊娠中です」などのような情報によって実現することができる。また、具体的には、宣伝情報は、たとえば、劇団に所属している利用者であれば、「名前は総研太郎です。２０１０年１１月２６日、××劇場で公演される×××に、○○役で出演します。」などのように、当該利用者が出演している芝居を案内する情報によって実現することができる。この場合、さらに、「チケット前売り中。￥３，０００」などの情報を含んでいてもよい。
【００５３】
宣伝情報は、利用者の端末装置１２０を実現するスマートフォンが備えるディスプレイ３０７における当該宣伝情報の表示位置を指定する情報を含んでいてもよい。具体的には、撮影された被写体に人物が含まれる場合は、当該人物に対し、「人物の肩周辺」、「人物の頭上」、「人物の足下」などのように表示位置を指定することができる。
【００５４】
また、宣伝情報は、たとえば、利用者（第１の利用者）がデジタルカメラや携帯型電話機が備えるカメラ機能などを用いて撮影した画像情報によって実現することができる。さらに、宣伝情報は、たとえば、楽曲、利用者の声、環境音（野鳥の声、水の流れる音、雑踏音など）などの音声によって実現してもよい。
【００５５】
宣伝情報は、送信順序が定められた複数の分割された宣伝情報によって構成されていてもよい。宣伝情報は、たとえば、利用者が任意に作成したストーリーの前半部分を示す分割された宣伝情報と、該ストーリーの後半部分を示す分割された宣伝情報と、によって構成することができる。また、宣伝情報は、たとえば、利用者が設定した宣伝情報の概要を示す分割された宣伝情報と、宣伝情報の詳細を示す一または複数の分割された宣伝情報と、によって構成することができる。
【００５６】
宣伝情報データベース４００において、宣伝情報は、たとえば、スマートフォンなどの利用者の端末装置１２０において受け付けた利用者（第１の利用者）による所定の入力操作に応じて、利用者の端末装置１２０とサーバコンピュータ１１０との間で通信をおこなうことによって、利用者（第１の利用者）が任意のタイミングで設定（追加、変更、削除など）することができる。
【００５７】
また、宣伝情報データベース４００において、宣伝情報は、たとえば、インターネットなどのネットワークに接続されたパーソナルコンピュータなどのコンピュータ装置１４０において利用者による所定の入力操作を受け付け、当該コンピュータ装置１４０とサーバコンピュータ１１０との間で通信をおこなうことによって、利用者（第１の利用者）が任意のタイミングで設定（追加、変更、削除など）することができる。
【００５８】
（利用者情報データベースの一例）
つぎに、利用者情報データベースの一例について説明する。図５は、この発明にかかる実施の形態のサーバコンピュータ１１０が備える利用者情報データベースの一例を示す説明図である。
【００５９】
図５において、この発明にかかる実施の形態のサーバコンピュータ１１０が備える利用者情報データベース５００は、利用者の端末装置１２０の利用者（第２の利用者）の識別情報と、利用者（第２の利用者）の識別情報と、利用者（第２の利用者）に関する情報（図５においては、「利用者情報」と示す）とを関連付けて記憶する。利用者に関する情報は、たとえば、利用者（第２の利用者）の性別、利用者（第２の利用者）の年齢、利用者（第２の利用者）の個別事情などを示す情報によって実現することができる。具体的には、利用者に関する情報は、たとえば、「利用者の性別：男性」、「利用者の年齢：２０代」、「利用者の年齢：６５歳以上」、「利用者の個別事情：妊娠中」、「利用者の個別事情：観光旅行中」、「利用者の個別事情：肩こり」などのように設定することができる。
【００６０】
また、利用者に関する情報は、たとえば、宣伝情報提供システム１００の利用履歴を示す情報によって実現することができる。この場合、利用者に関する情報は、具体的には、たとえば、「直近の１ヶ月間に宣伝情報提供システムによる宣伝情報の提供を受けた回数」、「直近の１ヶ月間に宣伝情報提供システムによる宣伝情報の提供を受けた地域」などに基づいて設定することができる。
【００６１】
また、利用者に関する情報は、たとえば、利用者（第２の利用者）の嗜好を示す情報によって実現することができる。この場合、利用者に関する情報は、具体的には、たとえば、「犬」、「美術品」、「美食」などのように、あらかじめ利用者（第２の利用者）によって入力されたキーワード、利用者の端末装置１２０を用いておこなわれた検索にかかるキーワードなどに基づいて設定することができる。
【００６２】
また、この場合、利用者に関する情報は、具体的には、たとえば、クレジットカードの利用履歴に基づいて設定することができる。より具体的には、たとえば、衣料品店における決済に際してクレジットカードを用いる頻度が高い利用者（第２の利用者）であれば「衣料品に関心あり」、ペットショップにおける決済に際してクレジットカードを用いる頻度が高い利用者であれば「動物（犬、ねこなど）に関心あり」、飲食店における決済に際してクレジットカードを用いる頻度が高い利用者（第２の利用者）であれば「食に関心あり」などのように設定することができる。
【００６３】
また、利用者に関する情報は、たとえば、利用者（第２の利用者）の居住地区、利用者（第２の利用者）の活動拠点（通学区、勤務地など）、利用者（第２の利用者）の利用頻度が高い地域、利用者（第２の利用者）の関心が高い地域など、特定の地域を示す情報によって実現してもよい。具体的には、利用者に関する情報は、たとえば、「利用者の居住地区：東京都港区」、「利用者の活動拠点：東京都中央区」、「利用者の利用頻度が高い地域：大阪市中央区」、「利用者の関心が高い地域：ドイツ  バイエルン州」などのように地域を特定可能な情報によって実現することができる。
【００６４】
利用者情報データベース５００において、利用者の端末装置１２０の識別情報と利用者に関する情報とは、利用者の識別情報に関連付けて記憶されている。利用者の端末装置１２０の識別情報は、たとえば、利用者の端末装置１２０に設定された電子メールアドレスによって実現することができる。
【００６５】
（制限情報データベースの一例）
つぎに、制限情報データベースの一例について説明する。図６は、この発明にかかる実施の形態のサーバコンピュータ１１０が備える制限情報データベースの一例を示す説明図である。
【００６６】
図６において、この発明にかかる実施の形態のサーバコンピュータ１１０が備える制限情報データベース６００は、利用者の識別情報と制限情報とを関連付けて記憶する。制限情報は、利用者（第１の利用者）が任意に設定することが可能であって、宣伝情報データベース４００に記憶された宣伝情報の提供を制限する条件を示す。制限情報は、たとえば、宣伝情報の提供が許可される利用者（第２の利用者）を特定可能な情報によって実現することができる。具体的には、制限情報は、たとえば、「男性限定」、「６５歳以上に限定」、「妊娠中の利用者のみ」、「旅行者のみ」、「東京都中央区に勤務する利用者に限定」などのように設定することができる。
【００６７】
宣伝情報データベース４００、利用者情報データベース５００、制限情報データベース６００などの各種データベースは、たとえば、サーバコンピュータ１１０を実現するコンピュータ装置が備えるＨＤ２０５に設けられている。宣伝情報データベース４００、利用者情報データベース５００、制限情報データベース６００などの各種データベースの一部あるいは全部は、ＨＤ２０５などサーバコンピュータ１１０を実現するコンピュータ装置が直接備える記憶媒体に限らず、たとえば、サーバコンピュータ１１０を実現するコンピュータ装置と通信可能に接続された別のコンピュータ装置が備える記憶媒体に設けられていてもよい。
【００６８】
（宣伝情報提供システム１００の機能的構成）
つぎに、この発明にかかる実施の形態の宣伝情報提供システム１００を構成する各部の機能的構成について説明する。図７は、この発明にかかる実施の形態の宣伝情報提供システム１００を構成する各部の機能的構成を示すブロック図である。
【００６９】
図７において、この発明にかかる実施の形態の宣伝情報提供システム１００は、サーバコンピュータ１１０と、利用者の端末装置１２０と、を備えている。また、この発明にかかる実施の形態の宣伝情報提供システム１００は、利用者の識別情報を記憶する記憶媒体７１０を備えている。記憶媒体７１０は、利用者の端末装置１２０を実現するスマートフォンが備えるメモリ３０４などによって実現することができる。
【００７０】
この発明にかかる実施の形態の宣伝情報提供システム１００における利用者の端末装置１２０は、撮影部７２０と、画像解析部７２１と、利用者識別情報取得部７２２と、要求送信部７２３と、宣伝情報受信部７２４と、宣伝情報表示部７２５と、を備えている。この発明にかかる実施の形態の宣伝情報提供システム１００における利用者の端末装置１２０の各機能を実現する、撮影部７２０、画像解析部７２１、利用者識別情報取得部７２２、要求送信部７２３、宣伝情報受信部７２４、宣伝情報表示部７２５は、利用者の端末装置１２０を実現するスマートフォンが備える各部によって実現することができる。
【００７１】
撮影部７２０は、被写体を撮影する。操作部３０８の操作によって撮影対象を撮影し、画像データを生成し、生成された画像データを所定の記憶媒体に記憶する。所定の記憶媒体は、たとえば、利用者の端末装置１２０を実現するスマートフォンが備えるメモリ３０４などによって実現することができる。
【００７２】
画像解析部７２１は、撮影部７２０によって撮影され生成された画像データに基づいて、被写体の画像を解析する。画像解析部７２１は、被写体の画像を解析することにより、たとえば、被写体の画像に含まれる人物や当該人物の画像における位置を特定する。被写体の画像の解析、被写体の画像に含まれる人物や当該人物の画像における位置の特定は、公知の技術を用いて容易に実現可能であるため説明を省略する。
【００７３】
利用者識別情報取得部７２２は、撮影部７２０によって撮影がおこなわれた場合に、自装置から所定範囲内に存在する記憶媒体が記憶する利用者の識別情報を取得する。利用者の識別情報を記憶する記憶媒体は、たとえば、スマートフォンなどの利用者の端末装置１２０に設けられている。
【００７４】
たとえば、Ｂｌｕｅｔｏｏｔｈ規格にしたがって無線通信をおこなう場合、利用者識別情報取得部７２２は、撮影をおこなった利用者の端末装置１２０（自装置）から所定範囲内に存在する記憶媒体が記憶するすべての利用者の識別情報を取得することができる。
【００７５】
Ｂｌｕｅｔｏｏｔｈ規格にしたがって無線通信をおこなう場合は、指向性アンテナを用いることにより、被写体の方向に存在する記憶媒体が記憶する利用者の識別情報を取得するように、利用者識別情報取得部７２２が利用者の識別情報を取得する記憶媒体の位置を制限することができる。Ｂｌｕｅｔｏｏｔｈ規格にしたがって無線通信をおこなうことにより、自装置から所定範囲内に存在するすべての記憶媒体が記憶する利用者の識別情報を取得することが可能な状況にあり、かつ、指向性アンテナを用いない場合、利用者識別情報取得部７２２は、自装置に対し直近の記憶媒体が記憶する利用者の識別情報を取得するようにしてもよい。
【００７６】
要求送信部７２３は、利用者識別情報取得部７２２によって取得された利用者の識別情報を含む宣伝情報取得要求をサーバコンピュータ１１０に送信する。宣伝情報取得要求は、利用者識別情報取得部７２２によって取得された利用者の識別情報によって識別される利用者の宣伝情報を、当該利用者の識別情報を取得した利用者の端末装置１２０に送信するよう要求する情報であって、利用者の識別情報に加えて、宣伝情報取得要求の送信元となる利用者の端末装置１２０の利用者の識別情報を含む。
【００７７】
あるいは、宣伝情報取得要求は、利用者の識別情報に加えて、宣伝情報取得要求の送信元となる利用者の端末装置１２０の利用者の識別情報を特定可能な情報を含んでいてもよい。利用者の端末装置１２０の利用者の識別情報を特定可能な情報は、たとえば、利用者の端末装置１２０に設定された電子メールアドレスによって実現することができる。
【００７８】
宣伝情報受信部７２４は、サーバコンピュータ１１０から送信された宣伝情報を受信する。宣伝情報は、要求送信部７２３によって送信された宣伝情報取得要求に応じてサーバコンピュータ１１０から送信される。
【００７９】
宣伝情報表示部７２５は、宣伝情報受信部７２４によって受信された宣伝情報を、撮影部７２０によって撮影された被写体の画像に重ねて表示する。宣伝情報表示部７２５は、ディスプレイ３０７において、撮影部７２０によって撮影された被写体の画像よりも宣伝情報が手前に見えるように、宣伝情報受信部７２４によって受信された宣伝情報を、撮影部７２０によって撮影された被写体の画像に重ねて表示する。
【００８０】
宣伝情報表示部７２５は、宣伝情報の表示に際して、ディスプレイ３０７における同一位置に被写体の画像と宣伝情報とが重なる場合は、Ｚバッファ法など周知の陰面消去法により各画像データのＺバッファのＺ値を参照することで、宣伝情報を優先してＶＲＡＭなどに記憶させる。これにより、被写体の画像を背景画像とした状態で、被写体の画像に重ねて宣伝情報を表示することができる。
【００８１】
画像解析部７２１による被写体の画像の解析がおこなわれた場合、宣伝情報表示部７２５は、画像解析部７２１による解析結果に基づいて、宣伝情報受信部７２４によって受信された宣伝情報を、撮影部７２０によって撮影された被写体の画像中の人物における所定の位置に重ねて表示する。この場合、宣伝情報表示部７２５は、たとえば、被写体の画像中の人物の肩、当該人物の頭上、当該人物の足下などの位置に、宣伝情報受信部７２４によって受信された宣伝情報を表示する。
【００８２】
サーバコンピュータ１１０は、宣伝情報データベース４００と、利用者情報データベース５００と、制限情報データベース６００と、要求受信部７３０と、宣伝情報取得部７３１と、利用者情報取得部７３２と、制限情報取得部７３３と、送信可否判断部７３４と、宣伝情報送信部７３５と、を備えている。この発明にかかる実施の形態の宣伝情報提供システム１００におけるサーバコンピュータ１１０の各機能を実現する、宣伝情報データベース４００、利用者情報データベース５００、制限情報データベース６００、要求受信部７３０、宣伝情報取得部７３１、利用者情報取得部７３２、制限情報取得部７３３、送信可否判断部７３４、宣伝情報送信部７３５は、サーバコンピュータ１１０を実現するコンピュータ装置が備える各部によって実現することができる。
【００８３】
要求受信部７３０は、利用者の端末装置１２０から送信された宣伝情報取得要求を受信する。宣伝情報取得部７３１は、宣伝情報データベース４００を参照して、要求受信部７３０によって受信された宣伝情報取得要求に含まれる利用者の識別情報に関連付けられた宣伝情報を取得する。
【００８４】
利用者情報取得部７３２は、利用者情報データベース５００を参照して、要求受信部７３０によって受信された宣伝情報取得要求の送信元の利用者の端末装置１２０の識別情報に関連付けられた利用者に関する情報を取得する。具体的には、利用者情報取得部７３２は、たとえば、利用者の年齢を示す情報を取得する。利用者情報データベース５００において、該当する利用者の端末装置１２０の識別情報に対して、利用者に関する情報が複数関連付けられている場合、利用者情報取得部７３２は、該当する利用者の端末装置１２０の識別情報に対して関連付けられたすべての利用者に関する情報を取得する。
【００８５】
宣伝情報取得要求に、当該宣伝情報取得要求の送信元となる利用者の端末装置１２０の利用者の識別情報を特定可能な情報（当該宣伝情報取得要求の送信元の利用者の端末装置１２０に設定された電子メールアドレス）を含める場合は、利用者の端末装置１２０に設定された電子メールアドレスと利用者の識別情報とを関連付けて記憶するデータベース（図示を省略する）をサーバコンピュータ１１０に設け、利用者情報取得部７３２は電子メールアドレスを含む宣伝情報取得要求を受信した場合に当該データベースを参照して該当する利用者の識別情報を特定し、特定された利用者の識別情報に関連付けられた利用者に関する情報を利用者情報データベース５００から取得する。
【００８６】
制限情報取得部７３３は、制限情報データベース６００を参照して、要求受信部７３０によって受信された宣伝情報取得要求に含まれる利用者の識別情報に関連付けられた制限情報を取得する。具体的には、制限情報取得部７３３は、たとえば、「６５歳以上に限定」などの情報を取得する。制限情報データベース６００において、該当する利用者の識別情報に複数の制限情報が関連付けられている場合、制限情報取得部７３３は、該当する利用者の識別情報に関連付けられたすべての制限情報を取得する。
【００８７】
送信可否判断部７３４は、利用者情報取得部７３２によって取得された利用者に関する情報および制限情報取得部７３３によって取得された制限情報に基づいて、宣伝情報取得部７３１によって取得された宣伝情報の送信の可否を判断する。具体的には、送信可否判断部７３４は、たとえば、利用者情報取得部７３２によって「利用者の年齢：６５歳以上」という情報が取得され、制限情報取得部７３３によって「６５歳以上に限定」という情報が取得された場合に、宣伝情報取得部７３１によって取得された宣伝情報の送信が可能である（宣伝情報の送信をおこなう）と判断する。また、具体的には、送信可否判断部７３４は、たとえば、利用者情報取得部７３２によって「利用者の年齢：２０代」という情報が取得され、制限情報取得部７３３によって「６５歳以上に限定」という情報が取得された場合は、宣伝情報取得部７３１によって取得された宣伝情報の送信はおこなわないと判断する。
【００８８】
利用者情報データベース５００において該当する利用者の端末装置１２０の識別情報に関連付けられた利用者に関する情報が存在せず、かつ、制限情報データベース６００において該当する利用者の識別情報に制限情報が関連付けられている場合、送信可否判断部７３４は、宣伝情報取得部７３１によって取得された宣伝情報の送信はおこなわないと判断する。制限情報データベース６００において該当する利用者の識別情報に関連付けられた制限情報が存在しない場合、送信可否判断部７３４は、宣伝情報取得部７３１によって取得された宣伝情報の送信が可能であると判断する。
【００８９】
宣伝情報送信部７３５は、要求受信部７３０によって受信された宣伝情報取得要求の送信元の利用者の端末装置１２０に対して、宣伝情報取得部７３１によって取得された宣伝情報を送信する。宣伝情報送信部７３５は、たとえば、要求受信部７３０によって受信された宣伝情報取得要求の送信元の利用者の端末装置１２０に設定された電子メールアドレスを送信先として、宣伝情報取得部７３１によって取得された宣伝情報を送信する。
【００９０】
宣伝情報取得部７３１によって取得された宣伝情報が複数存在する場合、宣伝情報送信部７３５は、取得されたすべての宣伝情報を送信する。あるいは、宣伝情報取得部７３１によって取得された宣伝情報が複数存在する場合、宣伝情報送信部７３５は、取得された複数の宣伝情報の中から任意の宣伝情報を選択的に送信してもよい。
【００９１】
また、宣伝情報取得部７３１によって取得された宣伝情報が複数存在する場合、宣伝情報送信部７３５は、取得された宣伝情報の中から所定の優先順位にしたがった一の宣伝情報を選択し、選択された一の宣伝情報を送信してもよい。この場合、宣伝情報データベース４００においては、同一の利用者の識別情報に関連付けられた複数の宣伝情報のそれぞれに優先順位を設定しておく。この場合、優先順位は、利用者が任意に設定することができる。あるいは、この場合、優先順位は、宣伝情報提供システム１００の管理者などが任意に設定するようにしてもよい。
【００９２】
宣伝情報送信部７３５は、送信可否判断部７３４による判断結果に基づいて、宣伝情報取得部７３１によって取得された宣伝情報を送信する。送信可否判断部７３４によって宣伝情報の送信にかかる判断がおこなわれた場合、宣伝情報送信部７３５は、送信可否判断部７３４による判断結果に基づいて、宣伝情報取得部７３１によって取得された宣伝情報を分割された宣伝情報単位で段階的に送信する。
【００９３】
具体的には、宣伝情報送信部７３５は、たとえば、宣伝情報取得要求を受信した場合に宣伝情報の概要を示す分割された宣伝情報を送信し、その後、宣伝情報の送信が可能であると判断された場合に宣伝情報の詳細を示す分割された宣伝情報を送信することができる。また、宣伝情報送信部７３５は、たとえば、宣伝情報の送信はおこなわないと判断された場合に、宣伝情報に代えて、「閲覧制限があるためこの先の情報は表示できません」や「閲覧制限があるため情報を取得できません」などのように、宣伝情報の送信がおこなわれないことを案内する制限通知情報を送信してもよい。
【００９４】
（表示画面例）
つぎに、この発明にかかる実施の形態の宣伝情報提供システム１００における利用者の端末装置１２０の表示画面例について説明する。図８−１、図８−２、図８−３、図８−４、図８−５、図８−６および図８−７は、この発明にかかる実施の形態の宣伝情報提供システム１００における利用者の端末装置１２０の表示画面例を示す説明図である。
【００９５】
図８−１、図８−２、図８−３、図８−４、図８−５、図８−６および図８−７において、この発明にかかる実施の形態の宣伝情報提供システム１００における利用者の端末装置１２０は、サーバコンピュータ１１０から送信された宣伝情報に基づいた表示画面８１０、８２０、８３０、８４０、８５０、８６０、８７０を表示する。宣伝情報は、たとえば、表示画面８１０、８２０、８３０に示すように、被写体の画像中の人物における所定の位置に重ねて表示することができる。表示画面８１０、８２０、８３０において、宣伝情報は、被写体の画像中の人物の顔の周辺に、吹き出し状に表示されている。
【００９６】
また、宣伝情報は、たとえば、表示画面８３０、８４０に示すように、被写体の画像中の人物の位置や体勢などにかかわらず、一定の位置に重ねて表示することができる。表示画面８３０、８４０において、宣伝情報は、表示画面８３０、８４０の下方にテロップ状に表示されている。宣伝情報は、表示画面８３０、８４０の下方に表示するものに限らず、表示画面８３０、８４０の上方に表示してもよいし、側方に表示してもよい。
【００９７】
また、宣伝情報は、たとえば、表示画面８５０に示すように、当該表示画面８５０を装飾する図形（図８−５における符号８５１を参照）として表示することができる。図形によって示される宣伝情報は、定位置に表示されるもの（図８−５における花や星の図形）であってもよいし、被写体の画像中の人物の位置や体勢などに応じて当該人物の周囲を移動するように表示されるもの（図８−５における蝶の図形）であってもよい。
【００９８】
宣伝情報は、被写体の画像中の人物の周囲に表示されるものに限らず、当該人物に重ねて表示されるものであってもよい。これによって、たとえば、図８−５に示した表示画面８５０においては、図８−５における蝶（図８−５における符号８５１を参照）が、被写体の画像中の人物の目の前を横切るような宣伝情報を表示することができる。
【００９９】
また、宣伝情報は、当該宣伝情報の取得を要求した利用者（第２の利用者）、および、当該利用者の端末装置１２０によって取得された利用者の識別情報に関連付けられた制限情報に応じて、当該宣伝情報の一部のみが表示されるものであってもよい。図８−６においては、複数の分割された宣伝情報によって構成される宣伝情報のうち、電子メールを互いにやり取りする相手を求める分割された宣伝情報（図８−６における符号８６１を参照）のみが表示された表示画面８６０が示されている。
【０１００】
複数の分割された宣伝情報によって構成される宣伝情報のうちの一部の分割された宣伝情報のみが表示され、残りの分割された宣伝情報は表示されていない場合、たとえば「閲覧制限があるためこの先の情報は表示できません」などのように、宣伝情報のすべてを表示することができないことを案内するメッセージ（図８−６における符号８６２を参照）を表示してもよい。このメッセージは、サーバコンピュータ１１０から、複数の分割された宣伝情報によって構成される宣伝情報のうちの一部の分割された宣伝情報に加えて、制限通知情報を受信した場合に、当該制限通知情報に基づいて表示することができる。
【０１０１】
制限通知情報は、宣伝情報が送信されない場合に、当該宣伝情報に代えて、サーバコンピュータ１１０から送信される。あるいは、制限通知情報は、複数の分割された宣伝情報によって構成される宣伝情報のうち利用者の端末装置１２０に送信される一部の分割情報以外の分割された宣伝情報（残りの分割された宣伝情報）が送信されない場合に、当該残りの分割された宣伝情報に代えて、サーバコンピュータ１１０から送信される。
【０１０２】
また、宣伝情報は、当該宣伝情報の取得を要求した利用者、および、当該利用者の端末装置１２０によって取得された利用者の識別情報に関連付けられた制限情報に応じて、利用者の識別情報を取得した利用者の端末装置１２０の利用者（第２の利用者）が制限情報を満足する場合、複数の分割された宣伝情報によって構成される宣伝情報のすべてが表示されるものであってもよい。図８−７においては、電子メールを互いにやり取りする相手を求める分割された宣伝情報と、実際の電子メールの送信先となる電子メールアドレスを示す分割された宣伝情報（図８−７における符号８７１を参照）と、が表示された表示画面８７０が示されている。
【０１０３】
（利用者の端末装置１２０の処理手順）
つぎに、この発明にかかる実施の形態の宣伝情報提供システム１００における利用者の端末装置１２０の処理手順について説明する。図９は、この発明にかかる実施の形態の宣伝情報提供システム１００における利用者の端末装置１２０の処理手順を示すフローチャートである。図９のフローチャートに示した処理は、利用者の端末装置１２０において、宣伝情報提供システム１００の管理者などが提供する所定のアプリケーションが起動されている状態において実行される。
【０１０４】
図９のフローチャートにおいて、まず、宣伝情報提供システム１００の管理者などが提供する所定のアプリケーションが起動されている状態において、撮影を指示する撮影指示操作があったか否かを判断する（ステップＳ９０１）。撮影指示操作がない場合（ステップＳ９０１：Ｎｏ）は、撮影指示操作があるまで待機する。
【０１０５】
ステップＳ９０１において、撮影指示操作があった場合（ステップＳ９０１：Ｙｅｓ）は、利用者の識別情報の取得処理を実行する（ステップＳ９０２）。ステップＳ９０２においては、たとえば、Ｂｌｕｅｔｏｏｔｈなどの近距離無線通信規格にしたがった無線通信処理を実行する。そして、ステップＳ９０２において利用者の識別情報の取得処理を実行した結果、利用者の識別情報を取得したか否かを判断する（ステップＳ９０３）。
【０１０６】
ステップＳ９０３において、利用者の識別情報を取得した場合（ステップＳ９０３：Ｙｅｓ）は、ステップＳ９０１：Ｙｅｓにおける撮影指示操作に応じて撮影された画像に対する画像解析処理を開始する（ステップＳ９０４）とともに、サーバコンピュータ１１０に対して、ステップＳ９０２において実行した取得処理によって取得された利用者の識別情報にかかる利用者に関する宣伝情報取得要求を送信する（ステップＳ９０５）。ステップＳ９０４においては、たとえば、ステップＳ９０１：Ｙｅｓにおける撮影指示操作に応じて撮影された画像中の人物を特定する画像解析処理を開始する。
【０１０７】
ステップＳ９０５においては、ステップＳ９０３：Ｙｅｓにおいて取得された利用者の識別情報と、当該利用者の識別情報を取得した利用者の端末装置１２０の利用者の識別情報と、を含む宣伝情報取得要求を生成し、生成された宣伝情報取得要求をサーバコンピュータ１１０に対して送信する。ステップＳ９０５においては、利用者の識別情報を取得した利用者の端末装置１２０の利用者の識別情報に代えて、当該利用者の端末装置１２０に設定された電子メールアドレスを含む宣伝情報取得要求を生成し、送信してもよい。
【０１０８】
つぎに、ステップＳ９０５において送信された宣伝情報取得要求に応じて、サーバコンピュータ１１０から送信された宣伝情報を受信したか否かを判断する（ステップＳ９０６）。ステップＳ９０６において、サーバコンピュータ１１０から送信された宣伝情報を受信した場合（ステップＳ９０６：Ｙｅｓ）は、ステップＳ９０４において開始した画像解析処理が完了したか否かを判断する（ステップＳ９０７）。
【０１０９】
そして、ステップＳ９０４において開始した画像解析処理が完了した場合（ステップＳ９０７：Ｙｅｓ）は、利用者の端末装置１２０を実現するスマートフォンが備えるディスプレイ３０７に、ステップＳ９０６において受信された宣伝情報を表示して（ステップＳ９０８）、一連の処理を終了する。
【０１１０】
ステップＳ９０７において、ステップＳ９０４において開始した画像解析処理が完了していない場合（ステップＳ９０７：Ｎｏ）は、ステップＳ９０６において受信された宣伝情報に基づいて、利用者の端末装置１２０を実現するスマートフォンが備えるディスプレイ３０７における当該宣伝情報の、被写体の画像における人物に対する表示位置の指定があるか否かを判断する（ステップＳ９０９）。表示位置の指定がある場合（ステップＳ９０９：Ｙｅｓ）は、ステップＳ９０７へ戻り、画像解析処理が完了したか否かの判断を、当該画像解析処理が完了するまで繰り返す。
【０１１１】
ステップＳ９０９において、利用者の端末装置１２０を実現するスマートフォンが備えるディスプレイ３０７における宣伝情報の、被写体の画像における人物に対する表示位置の指定がない場合（ステップＳ９０９：Ｎｏ）は、ステップＳ９０８に移行する。そして、利用者の端末装置１２０を実現するスマートフォンが備えるディスプレイ３０７に、ステップＳ９０６において受信された宣伝情報を表示して（ステップＳ９０８）、一連の処理を終了する。
【０１１２】
ステップＳ９０６において、サーバコンピュータ１１０から送信された宣伝情報を受信していない場合（ステップＳ９０６：Ｎｏ）は、サーバコンピュータ１１０から送信された制限通知情報を受信したか否かを判断する（ステップＳ９１０）。サーバコンピュータ１１０から送信された制限通知情報を受信した場合（ステップＳ９１０：Ｙｅｓ）は、利用者の端末装置１２０を実現するスマートフォンが備えるディスプレイ３０７に、ステップＳ９１０：Ｙｅｓにおいて受信された制限通知情報を表示して（ステップＳ９１１）、一連の処理を終了する。
【０１１３】
ステップＳ９１０において、サーバコンピュータ１１０から送信された制限通知情報を受信していない場合（ステップＳ９１０：Ｎｏ）は、ステップＳ９０５において宣伝情報取得要求を送信してから所定時間が経過したか否かを判断する（ステップＳ９１２）。ステップＳ９１２において、ステップＳ９０５において宣伝情報取得要求を送信してから所定時間が経過していない場合（ステップＳ９１２：Ｎｏ）は、ステップＳ９０６へ戻り、サーバコンピュータ１１０から送信された宣伝情報を受信したか否かの判断を、当該宣伝情報を受信するまで繰り返す。
【０１１４】
ステップＳ９１２において、ステップＳ９０５において宣伝情報取得要求を送信してから、サーバコンピュータ１１０から送信された宣伝情報を受信しないまま、所定時間が経過した場合（ステップＳ９１２：Ｙｅｓ）は、所定のエラー処理をおこなって（ステップＳ９１３）、一連の処理を終了する。ステップＳ９１３においては、たとえば、利用者の端末装置１２０を実現するスマートフォンが備えるディスプレイ３０７に、「通信エラーが発生しました。処理を中断します。」などのエラーメッセージを表示する。
【０１１５】
ステップＳ９０３において、利用者の識別情報を取得していない場合（ステップＳ９０３：Ｎｏ）、ステップＳ９０２において利用者の識別情報の取得処理を実行してから所定時間が経過したか否かを判断する（ステップＳ９１４）。ステップＳ９１４において、ステップＳ９０２において利用者の識別情報の取得処理を実行してから所定時間が経過していない場合（ステップＳ９１４：Ｎｏ）は、ステップＳ９０２へ戻る。
【０１１６】
ステップＳ９１４において、ステップＳ９０２において利用者の識別情報の取得処理を実行してから所定時間が経過した場合（ステップＳ９１４：Ｙｅｓ）は、所定のエラー処理をおこなって（ステップＳ９１５）、一連の処理を終了する。ステップＳ９１５においては、たとえば、ステップＳ９１３におけるエラー処理と同様に、利用者の端末装置１２０を実現するスマートフォンが備えるディスプレイ３０７に、「通信エラーが発生しました。処理を中断します。」などのエラーメッセージを表示する。
【０１１７】
（サーバコンピュータ１１０の処理手順）
つぎに、この発明にかかる実施の形態の宣伝情報提供システム１００におけるサーバコンピュータ１１０の処理手順について説明する。図１０は、この発明にかかる実施の形態の宣伝情報提供システム１００におけるサーバコンピュータ１１０の処理手順を示すフローチャートである。
【０１１８】
図１０のフローチャートにおいて、まず、上述した図９に示したフローチャートのステップＳ９０５において利用者の端末装置１２０から送信された、宣伝情報取得要求を受信したか否かを判断する（ステップＳ１００１）。ステップＳ１００１において、利用者の端末装置１２０から送信された宣伝情報取得要求を受信していない場合（ステップＳ１００１：Ｎｏ）は、当該宣伝情報要求情報を受信するまで待機する。
【０１１９】
ステップＳ１００１において、利用者の端末装置１２０から送信された宣伝情報取得要求を受信した場合（ステップＳ１００１：Ｙｅｓ）は、受信された宣伝情報取得要求から、上述した図９に示したフローチャートのステップＳ９０３：Ｙｅｓにおいて取得された利用者の識別情報を取得する（ステップＳ１００２）。
【０１２０】
つぎに、宣伝情報データベース４００を参照して、ステップＳ１００２において取得された利用者の識別情報に関連付けられた宣伝情報を取得する（ステップＳ１００３）。ステップＳ１００３においては、該当する宣伝情報が複数存在する場合、すべての宣伝情報を取得する。
【０１２１】
また、ステップＳ１００３においては、該当する宣伝情報が複数存在する場合、あらかじめ取得順序を定めておくことにより、該当する複数の宣伝情報の中から１つの宣伝情報を選択的に取得するようにしてもよい。具体的には、たとえば、ステップＳ１００２において取得された利用者の識別情報に関連付けられた宣伝情報が「Ａ」、「Ｂ」、「Ｃ」、「Ｄ」、「Ｅ」の５つ存在し、各宣伝情報に対しＡ→Ｂ→Ｃ→Ｄ→Ｅ→Ａ→・・・のように巡回する取得順序が設定されている場合、前回Ａの宣伝情報が取得された場合には、次回はＢの宣伝情報を取得するように構成する。
【０１２２】
これによって、利用者の端末装置１２０を用いて利用者の識別情報の取得をおこなった利用者は、同一の利用者の識別情報を繰り返し取得した場合にも、取得するごとに異なる宣伝情報を閲覧することができる。これにより、宣伝情報取得要求の送信元となる利用者の端末装置１２０の利用者を飽きさせることなく楽しませることができ、つぎに表示される宣伝情報への期待をもたせることができるので、エンターテインメント性に特化した、高いエンターテインメント性を有するサービスを提供することができる。
【０１２３】
ステップＳ１００４においては、制限情報データベース６００を参照して、ステップＳ１００２において取得された利用者の識別情報に関連付けられた制限情報があるか否かを判断する（ステップＳ１００４）。ステップＳ１００４において、ステップＳ１００２において取得された利用者の識別情報に関連付けられた制限情報がある場合（ステップＳ１００４：Ｙｅｓ）は、制限情報データベース６００を参照して、該当する制限情報を取得する（ステップＳ１００５）。
【０１２４】
ステップＳ１００５においては、制限情報データベース６００を参照して、ステップＳ１００２において取得された利用者の識別情報に関連付けられた制限情報をすべて取得する。制限情報データベース６００において、該当する利用者の識別情報に関連付けられた制限情報が複数存在する場合は、すべての制限情報を取得する。
【０１２５】
つぎに、利用者情報データベース５００を参照して、ステップＳ１００２において取得された利用者の識別情報に関連付けられた利用者情報を取得する（ステップＳ１００６）。ステップＳ１００６においては、ステップＳ１００２において取得された利用者の識別情報に関連付けられた利用者情報が複数存在する場合は、複数の利用者情報のすべてを取得する。
【０１２６】
つぎに、ステップＳ１００５において取得された制限情報と、ステップＳ１００６において取得された利用者情報と、に基づいて、ステップＳ１００１：Ｙｅｓにおいて受信された宣伝情報取得要求の送信元となる利用者の端末装置１２０に対して、ステップＳ１００３において取得された宣伝情報を送信することが可能であるか否かを判断する（ステップＳ１００７）。
【０１２７】
ステップＳ１００７においては、ステップＳ１００６において取得された利用者情報のうち、ステップＳ１００５において取得された制限情報による制限を満足する利用者情報が存在するか否かを判断する。そして、ステップＳ１００６において取得された利用者情報のうち、ステップＳ１００５において取得された制限情報による制限を満足する利用者情報が存在する場合に、ステップＳ１００３において取得された宣伝情報を送信することが可能であると判断する。
【０１２８】
ステップＳ１００７において、ステップＳ１００３において取得された宣伝情報を送信することが可能である場合（ステップＳ１００７：Ｙｅｓ）は、ステップＳ１００１：Ｙｅｓにおいて受信された宣伝情報取得要求の送信元となる利用者の端末装置１２０に対して、該当する宣伝情報を送信して（ステップＳ１００８）、一連の処理を終了する。
【０１２９】
一方、ステップＳ１００７において、ステップＳ１００３において取得された宣伝情報を送信することが可能ではない場合（ステップＳ１００７：Ｎｏ）は、ステップＳ１００１：Ｙｅｓにおいて受信された宣伝情報取得要求の送信元となる利用者の端末装置１２０に対して、上記の制限通知情報を送信して（ステップＳ１００９）、一連の処理を終了する。
【０１３０】
ステップＳ１００３において、ステップＳ１００２において取得された利用者の識別情報に関連付けられた制限情報がない場合（ステップＳ１００４：Ｎｏ）は、ステップＳ１００８へ移行して、ステップＳ１００１において受信された宣伝情報取得要求の送信元となる利用者の端末装置１２０に対して、ステップＳ１００３において取得された宣伝情報を送信して（ステップＳ１００８）、一連の処理を終了する。
【０１３１】
上述した実施の形態においては、スマートフォンなどの利用者の端末装置１２０に設けられた記憶媒体に記憶された利用者の識別情報を、別の利用者の端末装置１２０によって取得する例について説明したが、利用者の識別情報を記憶する記憶媒体は、利用者の端末装置１２０に設けられているものに限らない。利用者の識別情報を記憶する記憶媒体は、たとえば、クレジットカードやキャッシュカードなどのカード状の媒体に設けられたＩＣチップが備える記憶媒体によって実現するようにしてもよい。この場合、たとえば、クレジットカードのカード番号やキャッシュカードのカード番号（口座番号）によって利用者の識別情報を実現してもよい。
【０１３２】
利用者の識別情報を記憶する記憶媒体を、たとえば、クレジットカードに設けられたＩＣチップが備える記憶媒体によって実現する場合、所定期間におけるクレジットカードの利用履歴に基づいて制限情報を設定するようにしてもよい。所定期間は、前回の締め日の翌日から次回の締め日までの期間であって、たとえば１ヶ月間とすることができる。締め日は、カード会社が加盟店への立替払金額やカード会員への請求金額を確定するための締め切り日であり、たとえば「毎月１０日」、「毎月２５日」などのように設定されている。
【０１３３】
具体的には、たとえば締め日が「毎月１０日」である場合、所定期間は、毎月１１日〜翌月の１０日までの期間とされる。所定期間におけるクレジットカードの利用履歴は、たとえば、１ヶ月ごとに締め日がある場合、前回の締め日の翌日から次回の締め日までの１ヶ月間における累積のカード決済の利用金額とすることができる。
【０１３４】
たとえば、１ヶ月間における累積のカード決済による利用金額を制限情報とする場合、サーバコンピュータ１１０は、当該利用金額が所定金額よりも多い利用者の端末装置１２０から宣伝情報取得要求を受信した場合に、当該利用者の端末装置１２０に対して該当する宣伝情報を送信するようにすることができる。逆に、サーバコンピュータ１１０は、１ヶ月間における累積のカード決済による利用金額が所定金額よりも多い利用者の識別情報の宣伝情報にかかる宣伝情報取得要求を受信した場合に、当該宣伝情報取得要求の送信元となる利用者の端末装置１２０に対して該当する宣伝情報を送信するようにしてもよい。
【０１３５】
所定期間におけるクレジットカードの利用履歴に基づいて制限情報を設定するようにした場合、サーバコンピュータ１１０は、たとえば、クレジットカードのカード番号と、当該クレジットカードを用いておこなわれたカード決済に関する情報を関連付けて記憶するデータベース（図示を省略する）を参照して宣伝情報の送信の可否を判断することができる。このデータベースは、カード決済に関する情報として、たとえば、カードの利用日時、カード決済をおこなった店舗、所定期間における累積の利用金額などを記憶する。
【０１３６】
また、所定期間におけるクレジットカードの利用履歴に基づいて制限情報を設定するようにした場合にサーバコンピュータ１１０が参照するデータベースは、たとえば、クレジットカードの有効期限、クレジットカードの所有者（利用者）の氏名、住所（請求書の送付先）、電話番号、メールアドレス、性別など、クレジットカードの所有者（利用者）あるいはクレジットカードに関する各種の情報を記憶していてもよい。当該データベースは、サーバコンピュータ１１０を実現するコンピュータ装置が備えるＨＤ２０５などに設けることができる。また、当該データベースは、サーバコンピュータ１１０を実現するコンピュータ装置が直接備える記憶媒体に限らず、たとえば、サーバコンピュータ１１０を実現するコンピュータ装置と通信可能に接続された別のコンピュータ装置（クレジットカード会社が別途管理するコンピュータ装置など）が備える記憶媒体に設けられていてもよい。
【０１３７】
また、宣伝情報は、上述した実施の形態において説明したものに限らない。たとえば、鉄道やバスなどの交通機関を利用時の乗車区間を示す情報によって宣伝情報を実現することができる。具体的には、たとえば、「鉄道○×線の路線上であって、Ａ駅からＢ駅間」などのように、通勤や通学などで利用する頻度が高い範囲を特定可能な情報によって宣伝情報を実現することができる。
【０１３８】
このような構成とすることにより、宣伝情報を享受する利用者は、鉄道の座席に着席している乗客を撮影することによって、当該乗客が降車する可能性の高い駅を知ることができる。なお、このような宣伝情報提供システム１００を構成する場合、宣伝情報を享受している間は、通常の撮影機能すなわち撮影した画像を保存することができる機能を無効とするようにしてもよい。これによって、無闇に写真撮影がおこなわれ、当該写真が不正に使用されることを防止することができる。
【０１３９】
また、制限情報は、上述した実施の形態において説明したものに限らない。たとえば、宣伝情報の提供が許可される位置や範囲を特定可能な情報によって制限情報を実現することができる。具体的には、たとえば、上記のように乗車区間を示す情報を宣伝情報として設定可能な宣伝情報適用システム１００においては、「鉄道○×線の路線上であって、Ａ駅からＢ駅間」などのように、制限情報を設定することができる。
【０１４０】
この場合、宣伝情報は、宣伝情報を享受する利用者の端末装置１２０が、制限情報によって特定される範囲内に存在する場合に、当該利用者の端末装置１２０に送信される。宣伝情報を享受する利用者の端末装置１２０の現在位置は、たとえば、利用者の端末装置１２０を実現するスマートフォンが備えるＧＰＳ機能によって特定することができる。これにより、宣伝情報を提供する利用者（当該利用者の端末装置１２０）が「鉄道○×線の路線上であって、Ａ駅からＢ駅間」にいる場合に限って、宣伝情報を享受する利用者に対して降車予定駅を案内することができる。
【０１４１】
また、制限情報は、たとえば、宣伝情報の提供が許可される時間帯を特定可能な情報によって実現してもよい。具体的には、たとえば、通勤や通学時間帯を特定可能な情報によって制限情報を実現することができる。この場合、宣伝情報は、制限情報によって特定される時間帯にのみ提供される。あるいは、この場合、宣伝情報が、制限情報によって特定される時間帯以外の時間帯に提供されるようにしてもよい。
【０１４２】
また、宣伝情報は、上述した実施の形態において説明したように、個人を宣伝する情報に限らない。たとえば、宣伝情報提供システム１００の利用者（第１の利用者）と企業とが契約することにより、当該企業に関する情報を当該利用者（第１の利用者）と宣伝情報とすることができる。
【０１４３】
また、上述した実施の形態においては、人物によって宣伝情報を提供する利用者（第１の利用者）を実現する例について説明したが、この実施の形態において、宣伝情報を提供する利用者（第１の利用者）は人物に限らない。具体的には、宣伝情報を提供する利用者（第１の利用者）は、たとえば、車・バイク・自転車などの車両、犬・猫などの動物など、人物以外の物体によって実現されるものであってもよい。宣伝情報を提供する利用者（第１の利用者）は、人物、車両、動物などのように、定位置に存在する物体ではなく、移動可能な移動体によって実現されることが好ましい。
【０１４４】
たとえば、宣伝情報を提供する利用者（第１の利用者）を車両によって実現する場合、当該車両を製造したメーカー、年式、出力、改造内容やその他の特徴など、当該車両に関する各種の情報によって宣伝情報を実現することができる。これにより、車両に対して、エンジン内部やショックアブソーバーなど外観では気づきにくい箇所に改造を施した場合にも、当該改造内容に関する詳細な情報を提供することができる。
【０１４５】
また、たとえば、宣伝情報を提供する利用者（第１の利用者）をクラッシックカーに分類される車両によって実現する場合、当該車両の特徴を書面を用いて説明するためには、クラッシックカーに対する予備知識を充当することも考慮すると多くの書面が必要になることが想定される。これに対し、この発明にかかる実施の形態の宣伝情報提供システム１００を利用することにより、多量の情報を容易に提供することができる。
【０１４６】
また、たとえば、宣伝情報を提供する利用者（第１の利用者）をバイクや自転車などの車両によって実現する場合も同様であり、この発明にかかる実施の形態の宣伝情報提供システム１００を利用することにより、狭い宣伝スペースであっても多量の情報を容易に提供することができる。具体的には、たとえば、宣伝情報を提供する利用者（第１の利用者）が、販売価格が数十万円〜百数十万円の自転車である場合、当該自転車の価格や該価格に相当する価値があることを示す特徴などに関する宣伝情報を容易に提供することができる。
【０１４７】
また、たとえば、宣伝情報を提供する利用者（第１の利用者）を犬・猫などの動物によって実現する場合、当該動物の種類、年齢、出身地／原産地などの情報によって宣伝情報を実現することができる。そして、これらの宣伝情報を、利用者に関する情報に基づいて、たとえば、「動物（犬、ねこなど）に関心あり」という利用者（第２の利用者）に限って提供するようにしてもよい。これによって、動物の愛好家である利用者（第２の利用者）は、当該愛好家が見かけた動物に関心を持った任意のタイミングで、当該動物の宣伝情報の提供を受けることができる。
【０１４８】
また、たとえば、希少性の高い犬の飼い主が宣伝情報を提供する利用者（第１の利用者）である場合、当該犬の希少性がいかに高いか（珍しい犬であるか）を示す情報によって宣伝情報を実現することにより、当該利用者（第１の利用者）が飼育する犬の希少性を、当該犬に対して関心を持った利用者（第２の利用者）に対して提供することができる。これにより、宣伝情報の提供元に対して関心をもった利用者（第２の利用者）に対して、当該利用者（第２の利用者）が所望する宣伝情報を的確に提供することができ、提供される宣伝情報の有用性を高めることができる。
【０１４９】
宣伝情報を提供する利用者（第１の利用者）を人物以外の物体によって実現する場合、利用者の端末装置１２０は、スマートフォン、携帯型電話機、ＰＨＳなどの通話型の携帯型通信機器に代えて、通話型の携帯型通信機器よりも小型の携帯型通信機器によって実現することが好ましい。通話型の携帯型通信機器よりも小型の携帯型通信機器は、利用者の識別情報を記憶する記憶媒体および宣伝情報の提供を受ける利用者（第２の利用者）の端末装置１２０との間で通信可能な通信機能を備えていればよい。
【０１５０】
具体的には、通話型の携帯型通信機器よりも小型の携帯型通信機器は、上記のクレジットカードやキャッシュカードなどのカード状の媒体に設けられた非接触型のＩＣチップによって実現することができる。このように、通話型の携帯型通信機器よりも小型の携帯型通信機器を非接触型のＩＣチップによって実現することにより、宣伝情報を提供する利用者（第１の利用者）が犬・猫などの動物である場合は、当該動物の首輪に設けることができる。
【０１５１】
以上説明したように、この発明にかかる実施の形態の宣伝情報提供システム１００は、利用者の識別情報を記憶する記憶媒体７１０と、当該記憶媒体７１０が記憶する利用者の識別情報を読み取り可能な利用者の端末装置１２０と、当該利用者の端末装置１２０が接続可能なサーバコンピュータ１１０と、を備えている。そして、この発明にかかる実施の形態の宣伝情報提供システム１００は、利用者の端末装置１２０において、被写体を撮影がおこなわれた場合に、自装置（撮影をおこなった利用者の端末装置１２０）から所定範囲内に存在する記憶媒体７１０が記憶する利用者の識別情報を取得し、取得された利用者の識別情報を含む宣伝情報取得要求をサーバコンピュータ１１０に送信する。
【０１５２】
また、この発明にかかる実施の形態の宣伝情報提供システム１００は、利用者の識別情報と利用者が任意に設定した宣伝情報とを関連付けて記憶する宣伝情報データベース４００を備えるサーバコンピュータ１１０において、利用者の端末装置１２０から送信された宣伝情報取得要求を受信した場合は、受信された宣伝情報取得要求に含まれる利用者の識別情報に関連付けられた宣伝情報を宣伝情報データベース４００から取得し、取得された宣伝情報を受信された宣伝情報取得要求の送信元の利用者の端末装置１２０に対して送信する。
【０１５３】
そして、この発明にかかる実施の形態の宣伝情報提供システム１００は、利用者の端末装置１２０において、サーバコンピュータ１１０から送信された宣伝情報を受信すると、受信された宣伝情報を、撮影部７２０によって撮影された被写体の画像に重ねて表示するようにしたことを特徴としている。
【０１５４】
この発明にかかる実施の形態の宣伝情報提供システム１００によれば、宣伝情報を提供する利用者が任意に設定した宣伝情報を、当該宣伝情報を享受する利用者に当該利用者の任意のタイミングで提供することができる。これにより、宣伝情報提供システム１００の利用者に対して、高いエンターテインメント性を備えたサービスを提供することができる。
【０１５５】
また、この発明にかかる実施の形態の宣伝情報提供システム１００によれば、宣伝情報を提供する利用者は任意の情報を宣伝情報として提供することができ、宣伝情報を享受する利用者は当該利用者が選択した利用者にかかる宣伝情報を当該利用者の任意のタイミングで取得することができる。これにより、宣伝情報を提供する利用者および宣伝情報を享受する利用者の双方にとって、利用に際しての自由度が高く、利用者の様々な要望や状況に柔軟に対応できる、高いエンターテインメント性を備えたサービスを提供することができる。
【０１５６】
また、この発明にかかる実施の形態の宣伝情報提供システム１００は、利用者の端末装置１２０の利用者の識別情報と利用者に関する情報とを関連付けて記憶する利用者情報データベース５００と、利用者の識別情報と利用者が任意に設定した制限情報とを関連付けて記憶する制限情報データベース６００と、を備えたサーバコンピュータ１１０において、受信された宣伝情報取得要求の送信元の利用者の端末装置１２０の利用者の識別情報に関連付けられた利用者に関する情報を利用者情報データベース５００から取得し、受信された宣伝情報取得要求に含まれる利用者の識別情報に関連付けられた制限情報を制限情報データベース６００から取得し、取得された利用者に関する情報および制限情報に基づいて宣伝情報の送信の可否を判断する。そして、当該判断結果に基づいて、該当する利用者の端末装置１２０に対して該当する宣伝情報を送信することを特徴としている。
【０１５７】
この発明にかかる実施の形態の宣伝情報提供システム１００によれば、宣伝情報を提供する利用者は、当該利用者が提供した宣伝情報を享受する利用者を制限することができる。また、この発明にかかる実施の形態の宣伝情報提供システム１００によれば、宣伝情報を享受する利用者は、当該利用者にかかる利用者情報を用いて制限情報による制限内の宣伝情報を享受することにより、当該利用者に関連性が高い情報を優先的に享受することができる。
【０１５８】
また、この発明にかかる実施の形態の宣伝情報提供システム１００は、宣伝情報の送信の可否の判断結果に基づいて、送信順序が定められた複数の分割された宣伝情報によって構成された宣伝情報を、分割された宣伝情報単位で段階的に送信することを特徴としている。
【０１５９】
この発明にかかる実施の形態の宣伝情報提供システム１００によれば、宣伝情報を享受する利用者に応じて提供する宣伝情報を制限することができる。これによって、宣伝情報を提供する利用者は、宣伝情報を享受する利用者に応じて、提供する宣伝情報の内容を容易に調整することができる。
【０１６０】
また、この発明にかかる実施の形態の宣伝情報提供システム１００は、利用者の端末装置１２０において、撮影された被写体の画像を解析し、当該解析結果に基づいて、サーバコンピュータ１１０から受信された宣伝情報を、被写体の画像中の人物における所定の位置に重ねて表示することを特徴としている。
【０１６１】
この発明にかかる実施の形態の宣伝情報提供システム１００によれば、利用者の端末装置１２０において、宣伝情報を提供する利用者が所望する位置に宣伝情報を表示することができる。これによって、宣伝情報を提供する利用者の意図を効果的に反映することができ、宣伝情報の報知効果を高めることができる。
【０１６２】
また、この発明にかかる実施の形態の宣伝情報提供システム１００は、記憶媒体７１０が、携帯型通信機器に設けられていることを特徴としている。具体的には、たとえば、この発明にかかる実施の形態の宣伝情報提供システム１００においては、記憶媒体７１０が、スマートフォン、携帯型電話機、ＰＨＳなどの携帯型通信機器に設けられていることを特徴としている。
【０１６３】
この発明にかかる実施の形態の宣伝情報提供システム１００によれば、スマートフォン、携帯型電話機、ＰＨＳなどの可搬性に優れた携帯型通信機器に設けられた記憶媒体７１０に利用者の識別情報を記憶することにより、宣伝情報提供システム１００の普及および利用の促進を図ることができる。これによって、宣伝情報を提供する利用者は宣伝情報を広く配信することができ、宣伝情報を享受する利用者は多数の宣伝情報を享受することができるので、高いエンターテインメント性を備えたサービスを提供することができる。
【０１６４】
また、この発明にかかる実施の形態の宣伝情報提供システム１００は、記憶媒体７１０が、カード状の媒体に設けられていることを特徴としてもよい。この発明にかかる実施の形態の宣伝情報提供システム１００によれば、可搬性に優れたカード状の媒体に設けられた記憶媒体７１０に利用者の識別情報を記憶することにより、宣伝情報提供システム１００の普及および利用の促進を図ることができる。これによって、宣伝情報を提供する利用者は宣伝情報を広く配信することができ、宣伝情報を享受する利用者は多数の宣伝情報を享受することができるので、高いエンターテインメント性を備えたサービスを提供することができる。
【０１６５】
また、この発明にかかる実施の形態の宣伝情報提供システム１００によれば、たとえば、クレジットカードやキャッシュカードなどのカード状の媒体の発行元が、各カードが発行された利用者に対して宣伝情報提供システム１００の利用を許可する運用とすることにより、クレジットカードやキャッシュカードなどのカード状の媒体の発行元における利用者の囲い込みを図ることができる。
【０１６６】
また、この発明にかかる実施の形態の宣伝情報提供システム１００は、利用者の端末装置１２０が、スマートフォン、携帯型電話機、ＰＨＳなどの携帯型通信機器によって実現されることを特徴としている。この発明にかかる実施の形態の宣伝情報提供システム１００によれば、スマートフォン、携帯型電話機、ＰＨＳなどの可搬性に優れた携帯型通信機器によって利用者の端末装置１２０を実現することにより、宣伝情報提供システム１００の普及および利用の促進を図ることができる。これによって、宣伝情報を提供する利用者は宣伝情報を広く配信することができ、宣伝情報を享受する利用者は多数の宣伝情報を享受することができるので、高いエンターテインメント性を備えたサービスを提供することができる。
【０１６７】
なお、この実施の形態で説明した宣伝情報提供方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１６８】
以上のように、この発明にかかる宣伝情報提供システム、宣伝情報提供方法および宣伝情報提供プログラムは、宣伝情報の提供および宣伝情報を享受する利用者を支援する宣伝情報提供システム、宣伝情報提供方法および宣伝情報提供プログラムに有用であり、特に、宣伝情報の種類や内容、利用者などを限定せず自由度の高い宣伝情報提供システム、宣伝情報提供方法および宣伝情報提供プログラムに適している。
【符号の説明】
【０１６９】
１００  宣伝情報提供システム
１１０  サーバコンピュータ
１２０  利用者の端末装置
４００  宣伝情報データベース
５００  利用者情報データベース
６００  制限情報データベース
７１０  記憶媒体
７２０  撮影部
７２１  画像解析部
７２２  利用者識別情報取得部
７２３  要求送信部
７２４  宣伝情報受信部
７２５  宣伝情報表示部
７３０  要求受信部
７３１  宣伝情報取得部
７３２  利用者情報取得部
７３３  制限情報取得部
７３４  送信可否判断部
７３５  宣伝情報送信部
８１０、８２０、８３０、８４０、８５０、８６０、８７０  表示画面
【図１】
2012113355.tif 000003
【図２】
2012113355.tif 000004
【図３】
2012113355.tif 000005
【図４】
2012113355.tif 000006
【図５】
2012113355.tif 000007
【図６】
2012113355.tif 000008
【図７】
2012113355.tif 000009
【図８−１】
2012113355.tif 000010
【図８−２】
2012113355.tif 000011
【図８−３】
2012113355.tif 000012
【図８−４】
2012113355.tif 000013
【図８−５】
2012113355.tif 000014
【図８−６】
2012113355.tif 000015
【図８−７】
2012113355.tif 000016
【図９】
2012113355.tif 000017
【図１０】
2012113355.tif 000018